(57)【特許請求の範囲】
【請求項１】
エスカレーターの移動手すり上に載置されるエスカレーター用工具入れであって、
縦長の板状の本体部と、
前記本体部の下面側に設けられ、移動手すりに載る支持部と、
前記本体部の少なくとも一側端部に設けられ、工具収容器を保持するフック部と、
前記本体部の縦方向の少なくとも一端部の下面に設けられた滑り止め部と、
前記本体部の縦方向の他端部に設けられた把持部と、を備えるエスカレーター用工具入れ。
【請求項２】
前記本体部は、縦方向に沿って下面側に凸状に湾曲している、請求項１に記載のエスカレーター用工具入れ。
【請求項３】
前記支持部は、ローラを有する、請求項１又は２に記載のエスカレーター用工具入れ。
【請求項４】
前記エスカレーター用工具入れは、前記フック部を前記本体部の両側端部に備える、請求項１〜３のいずれか１項に記載のエスカレーター用工具入れ。
【請求項５】
前記エスカレーター用工具入れは、前記フック部を前記本体部の縦方向の両方の端部に備える、請求項１〜４のいずれか１項に記載のエスカレーター用工具入れ。
【発明の詳細な説明】
【技術分野】
【０００１】
本開示は、エスカレーターの保守点検等の作業時に使用する工具入れに関する。
【背景技術】
【０００２】
エスカレーターは、ビル等の施設の屋内外に設置されている。エスカレーターは故障時以外にも定期的に保守点検をする必要があり、その際には、作業者がステップを取り外し、ステップの取り外された箇所から開口部に入って作業を行うことがある。しかし、開口部には機器や配線等があるため、工具や工具入れの置き場所に困ることがあった。【０００３】
例えば、特許文献１には、ステップを取り外した状態において、ステップ軸に取り付けられ、工具等を内部に収容するための収容スペースを有する収容部と、収容部の開口を開閉する蓋部とを備える工具入れが開示されている。特許文献１に記載の工具入れによれば、他の作業員が工具を蹴り飛ばすという事態を防止できつつ、蓋部は他の作業員の足場としても使用することができる。
【先行技術文献】
【特許文献】
【０００４】
【特許文献１】特開２００９−２７４８３１号公報
【発明の開示】
【発明が解決しようとする課題】
【０００５】
ところで、作業者が開口部で効率的に作業を行うためには、作業者の手の届くところに工具入れを設置できることが好ましい。特に、多くのステップを取り外して開口部を大きく取ったときには、工具入れの位置を固定すると工具入れまで工具を取りに行かなくてはならず不便な場合がある。特許文献１に記載されている工具入れは、移設し易さという観点からは検討されていない。【０００６】
そこで、本開示では、作業者がエスカレーターの開口部で効率的に作業を行えるように、作業者の手の届く場所に設置できる工具入れを提供することを目的とする。
【課題を解決するための手段】
【０００７】
本開示のエスカレーター用工具入れは、エスカレーターの移動手すり上に載置されるエスカレーター用工具入れであって、縦長の板状の本体部と、本体部の下面側に設けられ、移動手すりに載る支持部と、本体部の少なくとも一側端部に設けられ、工具収容器を保持するフック部と、本体部の縦方向の一端部の下面に設けられた滑り止め部と、本体部の縦方向の他端部に設けられた把持部と、を備えることを特徴とする。【０００８】
上記構成を備えたエスカレーター用工具入れによれば、工具収容器及び工具収容器に収容された工具の重さにより工具入れ全体が傾いて本体部の縦方向の一端部の下面に設けられた滑り止め部と移動手すりが接して摩擦力が生じるので、作業者は、工具入れを移動手すりに対して動かないように載置することができる。作業者が移動するときには、作業者は、本体部の縦方向の他端部に設けられた把持部を押し下げることで工具入れの載置状態を解除し、移動手すり上を支持部が滑るようにして工具入れを移動させ、所定の位置で手を放すことで、再び工具入れを移動手すりに対して載置することができる。これにより、工具入れを作業者の手の届くところに設置することができる。【０００９】
本開示のエスカレーター用工具入れにおいて、本体部は、縦方向に沿って下面側に凸状に湾曲していてもよい。これにより、滑り止め部と移動手すりの接触解離が容易となるので、作業者は移動手すりに対して工具入れを安定的に載置することができる。【００１０】
本開示のエスカレーター用工具入れにおいて、支持部は、ローラを有してもよい。これにより、作業者は、工具入れを移動手すり上でスムーズに滑らせることができるので、工具入れをより容易に移動させることができる。【００１１】
本開示のエスカレーター用工具入れは、フック部を本体部の両側端部に備えてもよい。これにより、作業者は、工具入れを左右の移動手すりのいずれにも使用することができる。【００１２】
本開示のエスカレーター用工具入れは、フック部を本体部の縦方向の両方の端部に備えてもよい。これにより、作業者は、工具入れを左右の移動手すりのいずれにも使用することができる。
【発明の効果】
【００１３】
本開示のエスカレーター用工具入れによれば、作業者の位置に合わせて工具入れを作業者の手の届くところに設置することができるので、作業者は効率良く作業することができる。
【図面の簡単な説明】
【００１４】
【図１】実施形態の一例において、作業者が作業しているときの様子を内側から見た側面図である。
【図２】図１の工具入れ周辺を拡大した図である。
【図３】図２のＡ−Ａ方向に見た正面断面図である。
【図４】他の実施形態の一例における、図２に対応する図である。
【図５】他の実施形態の一例における工具入れの斜視図であり、工具収容器を取り外した状態を示す図である。
【発明を実施するための形態】
【００１５】
以下、図面を参照しながら、本開示に係るエスカレーター用工具入れの実施形態の一例について詳説する。図において、エスカレーターの進行方向を向いた乗客の左右方向を「左右」という。また、後述する左右の欄干の間の空間を「内」といい、欄干よりも外側の空間を「外」という。
【００１６】
図１は、実施形態の一例において、作業者１０が作業しているときの様子を内側から見た側面図である。エスカレーター２０は、ステップ２２、移動手すり２６、及び欄干２８を含んで構成される。図１においては、ステップ２２の一部が取り外されて開口部２４が生じている。作業者１０は、開口部２４の中に入って、移動手すり２６の上に載置された工具入れ３０に収容された工具を用いて保守点検等の作業を行う。
【００１７】
ステップ２２は、乗客が乗る踏板であり、複数のステップ２２が無端状に連結されて輪形状を形成して回動する。ステップ２２が回動する方向によって、エスカレーター２０が上り方向に動くか、下り方向に動くかが決まる。図１に示すように、ステップ２２は、往路側ステップ２２Ａと復路側ステップ２２Ｂを有し、乗客は往路側ステップ２２Ａに乗る。作業者１０は、往路側ステップ２２Ａの一部を取り外し、開口部２４の中で復路側ステップ２２Ｂに乗って作業する。
【００１８】
移動手すり２６は、ステップ２２の左右に直立するように設けられた欄干２８に設置され、乗客は欄干２８の上で移動手すり２６を掴むことができる。移動手すり２６は、ステップ２２と同期して回動する。作業時にエスカレーター２０を動作させても、開口部２４の中にいる作業者１０と移動手すり２６の上に載置された工具入れ３０との相対位置は変化しないので、作業者１０の手の届く範囲に工具入れ３０をそのまま配置しておくことができる。移動手すり２６の材質は、ウレタン系ゴム、ポリエチレン系ゴム、スチレンブタジエン系ゴム等を例示できる。
【００１９】
欄干２８は、移動手すり２６の回動を案内しつつ、ステップ２２が回動するときに乗客の身体がエスカレーター２０の外側に出ることを防止する。欄干２８の材質は、金属、樹脂、ガラス等を例示できる。
【００２０】
工具入れ３０は、作業者１０の左側の移動手すり２６の上に載置されている。工具入れ３０は作業者１０の近くに設置されており、作業者１０は、必要時に工具入れ３０から工具を出し入れすることで効率的に作業を行うことができる。
【００２１】
次に、図２及び図３を参照して、工具入れ３０について詳細に説明する。図２は、図１の工具入れ３０周辺を拡大した図である。また、図３は、図２のＡ−Ａ方向に見た正面断面図である。
【００２２】
図２において、工具入れ３０は、エスカレーター２０の移動手すり２６上に載置され、本体部３２、支持部３４、フック部３６、滑り止め部４０、及び把持部４２を備える。工具を収容するための工具収容器３８は、フック部３６に係合される。
【００２３】
本体部３２は、縦長の板状の形状である。工具入れ３０は、本体部３２の縦方向を移動手すり２６の進行方向に合わせるようにして、移動手すり２６の上に載置される。本体部３２の材質は特に限定されず、金属、樹脂等が例示できる。
【００２４】
本体部３２は、縦方向に沿って下面側に凸状に湾曲していてもよい。これにより、工具入れ３０は、後述する本体部３２の下面に設けた滑り止め部４０と移動手すり２６との接触解離が容易となり、移動手すり２６に対して工具入れ３０を安定的に載置することができる。
【００２５】
支持部３４は、本体部３２の略中央に設けられ、工具入れ３０を移動手すり２６の上に載置したときには、移動手すり２６に接し、本体部３２の縦方向の一端部を上下するときの支点となる。本体部３２の縦方向の他端部を下方に押すことで、支持部３４を支点として、てこの原理により一端部が上がり、本体部３２の下面に設けられた滑り止め部４０を移動手すり２６から離すことができる。
【００２６】
支持部３４は、ローラを有してもよい。これにより、工具入れ３０を移動手すり２６に沿って移動させるときに、ローラにより移動手すり２６の上をスムーズに滑らせることができる。ローラが上記の支点となる機能及び移動手すり２６の上を滑る機能を有する限り、ローラの大きさ、形状、及び位置は、特に限定されない。例えば、支持部３４は、図２に示すように、外面が本体部３２の上面及び下面から突出し、本体部３２の縦方向に略垂直な方向に軸支されたローラを本体部３２の縦方向の略中央に有してもよい。ローラの材質は、特に限定されないが、金属、樹脂等が例示できる。エスカレーター２０の一部、例えば欄干２８等にガラス等の割れやすい材質を使用している場合があるので、工具入れ３０を持ち運ぶときにエスカレーター２０に接触する可能性があるローラの表面は柔らかいことが好ましい。ローラの表面がスポンジ等の柔らかい材質で覆われていてもよい。
【００２７】
フック部３６は、本体部３２の少なくとも一側端部に設けられ、工具収容器３８を保持する機能を有する。フック部３６の形状は、特に限定されず、例えば、図２に示すような本体部３２の一側端部から下方向に延出するように設けられた板状とすることができる。また、フック部３６は、例えば、工具収容器３８と係合するための矩形、円形等形状の貫通穴を有してもよい。フック部３６の材質は、特に限定されず、例えば金属、樹脂等を例示できる。加工しやすさの観点から、フック部３６の材質は、本体部３２と同じにしてもよい。
【００２８】
フック部３６は、本体部３２の両側端部に設けられてもよい。これにより、工具入れ３０は、後述する工具収容器３８が内側に吊り下げられた状態で、左右の移動手すり２６のいずれにも使用することができる。
【００２９】
また、図４に示すように、フック部３６は、本体部３２の縦方向の両方の端部に設けられてもよい。図４は、他の実施形態の一例である工具入れ３０を使用しているときの様子を内側から見た側面図である。図４において、工具入れ３０は、上方を向いた作業者１０の左側の移動手すり２６の上に載置されており、下方側のフック部３６に後述する工具収容器３８が係合されている。作業者１０は、工具入れ３０を右側の移動手すり２６に移設したいときは、反対側（上方側）の端部のフック部３６に工具収容器３８を移し、工具収容器３８が内側に吊り下げられるように、作業者１０の右側の移動手すり２６に載置することで、工具収容器３８が下方側のフック部３６に係合された状態とすることができる。このように、上記構成を備えた工具入れ３０は、工具収容器３８を下方側のフック部３６に係合した状態で、左右の移動手すり２６のいずれにも使用することができる。
【００３０】
また、図５に示すように、本体部３２の縦方向の両方の端部にそれぞれある一対のフック部３６は本体部３２の側端部において繋がっていてもよい。図５は、他の実施形態の一例における工具入れの斜視図であり、工具収容器３８を取り外した状態を示す図である。本構成により、工具入れ３０は、剛性が高くなる。また、工具収容器３８とフック部３６との係合が解除可能な場合には、図５に示すように、工具収容器３８を外した状態で工具入れ３０を移動手すり２６の上に載置した後に、工具収容器３８をフック部３６に係合することができる。工具収容器３８には工具が入っており重いので、工具収容器３８を係合しない状態の方が、作業者は工具入れ３０を移動手すり２６の上に載置しやすい。
【００３１】
図２に示すように、工具収容器３８は、フック部３６に係合され、作業者１０が作業する際に使用する工具を収容する機能を有する。工具収容器３８の形状は、特に限定されず、例えば、箱型や不定形の袋であってもよい。また、工具収容器３８は、上部にフック部３６と係合するための鉤形状を有していてもよい。工具収容器３８の材質は、特に限定されず、布、金属、樹脂等を例示できる。工具収容器３８は、フック部３６に吊るされるので、欄干２８に接触することがある。欄干２８を傷つけたり破損したりしないために、工具収容器３８は、布であることが好ましく、工具等を入れても破れにくい帆布であることが特に好ましい。
【００３２】
フック部３６と工具収容器３８との係合方法は、上記態様に限定されず、フック部３６と工具収容器３８とが係合できる態様であればいずれも選択することができる。例えば、フック部３６が鉤形状を有し、工具収容器３８が貫通穴や未貫通穴を有していてもよい。また、例えば、フック部３６及び工具収容器３８がそれぞれ雄ねじと雌ねじを有していてもよい。
【００３３】
滑り止め部４０は、本体部３２の縦方向の少なくとも一端部の下面に設けられる。これにより、工具収容器３８及び工具収容器３８に収容した工具の重さにより工具入れ全体が傾いて本体部３２の縦方向の一端部の下面に設けられた滑り止め部４０と移動手すり２６が接して摩擦力が生じ、移動手すり２６に対して動かないように工具入れ３０を載置することができる。図４に示すように、フック部３６が本体部３２の縦方向の両方の端部に設けられているときには、滑り止め部４０は、本体部３２の縦方向の両方の端部の下面に設けられることが好ましい。滑り止め部４０の材質は、移動手すり２６と接して上述の作用効果が生じる程度の摩擦力が生じるものであれば特に限定されないが、移動手すり２６に貼着しやすいゴム等や移動手すり２６と接触する面に凹凸を有する金属、樹脂等が例示できる。
【００３４】
把持部４２は、本体部３２の縦方向の他端部に設けられる。作業者１０が移動するときには、作業者１０は、本体部３２の縦方向の他端部に設けられた把持部４２を押し下げることで工具入れ３０の載置状態を解除し、移動手すり２６上を支持部３４が滑るようにして工具入れ３０を移動させ、所定の位置で手を放すことで、再び工具入れ３０を移動手すり２６に対して載置することができる。把持部４２は、作業者１０が手で握りやすい形状であれば特に限定されないが、例えば、図２に示すように本体部３２の縦方向の端部が上方に曲がった形状とすることができる。また、工具入れ３０は、図２に示すように本体部３２の縦方向の両方の端部に把持部４２を備えてもよい。
【００３５】
上述したように、本実施形態の工具入れ３０によれば、作業者１０はエスカレーター２０の開口部２４で効率的に作業を行える。
【符号の説明】
【００３６】
１０  作業者、２０  エスカレーター、２２  ステップ、２４  開口部、２６  移動手すり、２８  欄干、３０  （エスカレーター用）工具入れ、３２  本体部、３４  支持部、３６  フック部、３８  工具収容器、４０  滑り止め部、４２  把持部、４２  下面、４４  ローラ
【要約】
本開示のエスカレーター用工具入れ（３０）は、エスカレーターの移動手すり（２６）上に載置され、縦長の板状の本体部（３２）と、本体部の下面側に設けられ、移動手すりに載る支持部（３４）と、本体部の縦方向の少なくとも一側端部に設けられ、工具収容器（３８）を保持するフック部（３６）と、本体部の縦方向の一端部の下面に設けられた滑り止め部（４０）と、本体部の縦方向の他端部に設けられた把持部（４２）と、を備えることを特徴とする。【図１】
0006785992.tif 000002
【図２】
0006785992.tif 000003
【図３】
0006785992.tif 000004
【図４】
0006785992.tif 000005
【図５】
0006785992.tif 000006